(57)【要約】【課題】  提げ手が本体容器の中心縦線上に位置することにより、これを提げたときの全体の重量バランスが良くて真っ直ぐに提げれて持ちやすくなり，消火活動もし易くなる消火器を得る。【解決手段】  本体容器１の上口１ａに装着したバルブケース２と、このバルブケース２の上面に取り付けた下辺部１０ａとこの下辺部１０ａに対向する上方位置にある上辺部１０ｂとからなる提げ手１０と、この提げ手１０の上辺部１０ｂと下辺部１０ａとの間に配設した操作レバー１１とを備えてなる。【選択図】    図１
2005143769.tif 000002
【特許請求の範囲】
【請求項１】
本体容器の上口に装着したバルブケースと、このバルブケースの上面に取り付けた下辺部とこの下辺部に対向する上方位置にある上辺部とからなる提げ手と、この提げ手の前記上辺部と下辺部との間に配設した操作レバーとを備えたことを特徴とする消火器。
【請求項２】
操作レバーを提げ手の上辺部と平行に配置すると共に上辺部に対して平行移動するようにしたことを特徴とする請求項１記載の消火器。
【請求項３】
提げ手の上辺部を下辺部よりも長寸の山形に湾曲した湾曲上辺部とし、ホースがこの湾曲上辺部の山形に沿って上方から嵌るようにホースを上方に反り返らせて巻回してその先のノズルを反対側の本体容器側面に止めるようにしたことを特徴とする請求項１または２記載の消火器。
【発明の詳細な説明】
【技術分野】
【０００１】
本発明は、消火器に関するものである。
【背景技術】
【０００２】
従来の一般的な消火器を図５を用いて説明する。図５は消火器全体を示す正面図である。
図において、１は蓄圧式の本体容器、２は本体容器１の上口１ａに螺合装着したバルブケース、３はバルブケース２に取り付けた圧力計、４はバルブケース２に取り付けた固定レバー、５は固定レバー４に対して可動してバルブケース２のバルブ（図示せず）を開閉するための可動レバー、６はバルブケース２の吐出口２ａに接続したホース、７はホース６の先にあるノズルで、止め具８により本体容器１の側面に止められている。
【０００３】
安全栓９を抜いて両レバー４，５を握ると、可動レバー５の可動によりバルブケース２のバルブが開いて本体容器１内の消火剤がホース６を通ってノズル７から放射されるので、左手で固定レバー４を提げながら（可動レバー５を握った状態で）右手でノズル７を操作して消火する。
【発明の開示】
【発明が解決しようとする課題】
【０００４】
解決しようとする問題は、従来の消火器では前記したように提げ手となる固定レバー４の位置が本体容器１の中心縦線上より大きく側方にずれているため、固定レバー４を提げたときにその重心のずれによって本体容器１が大きく傾いて片手では提げにくくなるし、この提げにくい状態での消火活動も本体容器１が大きくなればなるほど顕著なものとなって非力な人には扱いにくくなるという点である。
【課題を解決するための手段】
【０００５】
請求項１の発明は、本体容器の上口に装着したバルブケースと、このバルブケースの上面に取り付けた下辺部とこの下辺部に対向する上方位置にある上辺部とからなる提げ手と、この提げ手の前記上辺部と下辺部との間に配設した操作レバーとを備えたことを特徴とする。
【０００６】
請求項２の発明は、操作レバーを提げ手の上辺部と平行に配置すると共に上辺部に対して平行移動するようにしたことを特徴とする。
【０００７】
請求項３の発明は、提げ手の上辺部を下辺部よりも長寸の山形に湾曲した湾曲上辺部とし、ホースがこの湾曲上辺部の山形に沿って上方から嵌るようにホースを上方に反り返らせて巻回してその先のノズルを反対側の本体容器側面に止めるようにしたことを特徴とする。
【発明の効果】
【０００８】
請求項１の発明は、提げ手が本体容器の中心縦線上にあるので、これを提げたときの全体の重量バランスが良くて真っ直ぐに提げれて持ちやすくなり，消火活動もし易くなると共に、本体容器が大きくなっても提げやすく持ちやすいので非力な人でも扱い易くなるし、さらに従来の提げ手となるレバーのように提げ手が本体容器の側方に出っ張らないので、設置状態では提げ手が邪魔にならず提げ手にものが引っかかりにくくなるという効果がある。
【０００９】
請求項２の発明は、操作レバーが提げ手の上辺部に対して平行移動するので、従来のラッパ状に開いたレバーを握るのに比べて握り易くなって非力な人でも容易に握って操作できるという効果がある。
【００１０】
請求項３の発明は、ホースを湾曲上辺部の山形に沿って上方から嵌るようにホースを上方に反り返らせて巻回するので、そのまま垂らして本体容器の側面に止める従来のものに比べてホースを長くでき、よって本体容器が小さく（低く）なってもホースの長さが得られる（長くできること）のでホースの操作がし易くなるという効果がある。
【発明を実施するための最良の形態】
【００１１】
提げ手を本体容器の中心縦線上に配置することにより、これを提げたときの全体の重量バランスが良くて真っ直ぐに提げれるようにして実現した。
【実施例１】
【００１２】
図１は本発明の一実施例の常備状態を示す正面図、図２は図１を左からみた側面図、図３は図１を上からみた平面図、図４は図１を背面からみた使用状態図であり、図中前記した従来のものと同一または相当部分には同一符号を付して説明を省略する。
【００１３】
図において、１０はバルブケース２の上面に取り付けた下辺部１０ａとこの下辺部１０ａに対向する上方位置にある上辺部１０ｂとからなる提げ手で、本体容器１の円周外面より出っ張らず，本体容器１の中心縦線上にバランスよく配設されている。１１は提げ手１０の上辺部１０ｂと下辺部１０ａとの間に配設した操作レバーで、提げ手１０のコの字状の内部に収まり，上辺部１０ｂに向かって握り込まれるようになっている。
【００１４】
図１に示す常備状態から、ノズル７を止め具８から外してホース６を解いた後、操作レバー１１に指を回して提げ手１０を提げ、放出時には操作レバー１１を握りしめることによりバルブケース２のバルブを開くことにより、図４に示すようにして使用する。
【００１５】
図４に示す使用状態（提げた）では、提げ手１０が本体容器１の中心縦線上にあるので、全体の重量バランスが良くて真っ直ぐに提げれて持ちやすくなるし，また持ちやすいために消火活動もし易くなるし、本体容器１が大きくなっても提げやすく持ちやすいので非力な人でも扱い易くなる。
【００１６】
図１に示す常備状態では、従来の提げ手となるレバー４，５（図５）のように提げ手１０が本体容器１の円周外面より（側方に）出っ張らないので、設置状態では提げ手１０が邪魔にならず提げ手１０にものが引っかかりにくくなる。
【００１７】
各図に示すように操作レバー１１を提げ手１０の上辺部１０ｂと平行に配置すると共に上辺部１０ｂに対して平行移動するようにしたので、従来のラッパ状に開いたレバー４，５（図５）を握るのに比べて握り易くなって非力な人でも容易に握って操作できるようになる。
【００１８】
また、各図に示すように提げ手１０の上辺部１０ｂを下辺部１０ａよりも長寸の山形に湾曲した湾曲上辺部とし、ホース６がこの湾曲上辺部の山形に沿って上方から嵌るようにホース６を上方に反り返らせて巻回したので、そのまま垂らして本体容器１の側面に止める従来のホース（図５）に比べてホース６を長くでき、よって本体容器１が小さく（低く）なってもホース６の長さが得られる（長くできること）のでホースの操作がし易くなるし、またホース６を湾曲上辺部１０ｂの山形に沿って上方から嵌るようにしてあるので提げ手１０を握ったときにホース６があってもなくても提げやすく，ホース６が湾曲上辺部１０ｂから外れにくくて収まりがよい。
【実施例２】
【００１９】
請求項１，２の他の実施例として、ホースのないものがある。つまり、図１〜図４においてバルブケース２の吐出口２ａにノズル７を直接取り付ける構造のものであって、このようにホースなしのものでも提げたときの全体の重量バランスが良くて真っ直ぐに提げれて持ちやすくなるし、また握り易くなって非力な人でも容易に握って操作できるという前記実施例１と同等の効果が得られる。
【産業上の利用可能性】
【００２０】
本発明は、蓄圧式の消火器に限らず，加圧式の消火器にも広く活用できる。
【図面の簡単な説明】
【００２１】
【図１】本発明の実施例１を示す常備状態の正面図である。
【図２】図１を左からみた側面図である。
【図３】図１を上からみた平面図である。
【図４】図１を背面からみた使用状態図である。
【図５】従来の一般的な消火器を示す正面図である。
【符号の説明】
【００２２】
１：本体容器
１ａ：上口
２：バルブケース
２ａ：吐出口
３：圧力計
６：ホース
７：ノズル
８：止め具
１０：提げ手
１０ａ：下辺部
１０ｂ：上辺部
１１：操作レバー
【図１】
2005143769.tif 000003
【図２】
2005143769.tif 000004
【図３】
2005143769.tif 000005
【図４】
2005143769.tif 000006
【図５】
2005143769.tif 000007